(57)【要約】【課題】被塗布部に塗布する内容液の量を安定させることができ、操作性を向上できる計量塗布具を提供する。【解決手段】内容液が収容される容器体１の口部３に装着されるとともに、上方付勢状態で下方移動可能に立設されたステム６を有し、ステム６の下方移動に伴いステム６の上端開口１４から内容液を吐出するポンプ４と、ステム６に装着されるとともに、内部にステム６の上端開口１４内に連通する計量空間Ｓが画成された計量筒部材１５と、計量筒部材１５に装着された塗布部材２８と、を備える計量塗布具において、計量筒部材１５には、計量空間Ｓ内の内容液を塗布部材２８に供給する供給孔２７が形成され、計量筒部材１５のうちの、少なくとも一部が、透明若しくは半透明の材料で形成され、該透明若しくは半透明の部位を通して、当該計量塗布具の外側から計量空間Ｓ内で計量された内容液の液面を視認可能に構成されている。【選択図】図１
2014046948.tif 000002
【特許請求の範囲】
【請求項１】
内容液が収容される容器体の口部に装着されるとともに、上方付勢状態で下方移動可能に立設されたステムを有し、該ステムの下方移動に伴い該ステムの上端開口から内容液を吐出するポンプと、
前記ステムに装着されるとともに、内部に前記ステムの前記上端開口内に連通する計量空間が画成された計量筒部材と、
前記計量筒部材に装着された塗布部材と、を備えた計量塗布具であって、
前記計量筒部材に、前記計量空間内の内容液を前記塗布部材に供給する供給孔が形成され、
前記計量筒部材のうちの、少なくとも一部が、透明若しくは半透明の材料で形成され、該透明若しくは半透明の部位を通して、当該計量塗布具の外側から前記計量空間内で計量された内容液の液面を視認可能に構成されていることを特徴とする計量塗布具。
【請求項２】
前記計量筒部材は、内部が前記計量空間とされるとともに、前記供給孔が形成された本体筒部材と、内部が前記計量空間とされるとともに、前記本体筒部材と前記ステムとを接続する接続筒部材と、を備えていることを特徴とする計量塗布具。
【請求項３】
前記計量筒部材には、前記計量空間内に所望の量の内容液が貯留されているときの内容液の水位を示す印部が設けられていることを特徴とする請求項１又は２に記載の計量塗布具。
【請求項４】
前記計量筒部材には、前記印部より上方に位置する部分に開口し、前記計量空間を外部に連通させる空気置換路が設けられていることを特徴とする請求項３に記載の計量塗布具。
【請求項５】
前記計量筒部材は、内部が前記計量空間とされるとともに、前記供給孔及び前記印部が形成された本体筒部材と、内部が前記計量空間とされるとともに、前記本体筒部材と前記ステムとを接続する接続筒部材と、を備え、
前記接続筒部材は、前記ステムに装着された基筒部と、前記本体筒部材が装着され、かつ内部が前記基筒部と連通した連結筒部と、前記連結筒部内に配設されて、その上端開口が前記本体筒部材内に至り、該上端開口が前記印部より上方に位置し、かつその下端開口が前記連結筒部及び前記基筒部の双方の外部に開口する連通筒部と、を備え、
前記連通筒部の内部が、前記空気置換路となっていることを特徴とする請求項４に記載の計量塗布具。
【発明の詳細な説明】
【技術分野】
【０００１】
本発明は、容器体内の内容液を被塗布部に塗布するために容器体に装着する計量塗布具に関する。
【背景技術】
【０００２】
内容液が収容される容器体の口部に装着されるとともに、上方付勢状態で下方移動可能に立設されたステムを有し、該ステムの下方移動に伴い該ステムの上端開口から内容液を吐出するポンプと、前記ステムに装着され、内部を前記ステムの前記上端開口内に連通させる連通筒部材と、この連通筒部材に装着された塗布部材と、を備えるとともに、前記連通筒部材に、その内部の内容液を塗布部材に供給する供給孔が形成された塗布具が従来から知られている。
【先行技術文献】
【特許文献】
【０００３】
【特許文献１】特開２００５−１８７００６号公報
【発明の概要】
【発明が解決しようとする課題】
【０００４】
しかしながら、前記従来の塗布具では、被塗布部に塗布する内容液の量を安定させて、操作性を向上させることに改善の余地があった。
【０００５】
本発明は係る実情に鑑みてなされたものであり、被塗布部に塗布する内容液の量を安定させることができ、操作性を向上させることができる計量塗布具を提供することを目的とする。
【課題を解決するための手段】
【０００６】
上記課題の解決手段として、本発明は、内容液が収容される容器体の口部に装着されるとともに、上方付勢状態で下方移動可能に立設されたステムを有し、該ステムの下方移動に伴い該ステムの上端開口から内容液を吐出するポンプと、前記ステムに装着されるとともに、内部に前記ステムの前記上端開口内に連通する計量空間が画成された計量筒部材と、前記計量筒部材に装着された塗布部材と、を備えた計量塗布具であって、前記計量筒部材に、前記計量空間内の内容液を前記塗布部材に供給する供給孔が形成され、前記計量筒部材のうちの、少なくとも一部が、透明若しくは半透明の材料で形成され、該透明若しくは半透明の部位を通して、当該計量塗布具の外側から前記計量空間内で計量された内容液の液面を視認可能に構成されていることを特徴とする。
【０００７】
本発明に係る計量塗布具では、計量筒部材及び塗布部材をステムとともに下方移動させることで、容器体の内溶液をステム内を通して計量空間に流入させることができる。
この際、計量筒部材のうち、少なくとも一部が、透明若しくは半透明の材質で形成され、この透明若しくは半透明の部位を通して、計量塗布具の外側から計量空間内で計量された内容液の液面を視認可能であるので、この計量空間内の内容液の液面を見ながら、計量空間内の内容液の貯留量を確認することができる。
そして、この貯留量が所望の量に達するまで、前述のようにして、容器体の内容液を計量空間内に流入させることで、計量空間内で計量された内容液を、供給孔を通して塗布部材に順次供給し、この塗布部材を被塗布部に当接させることで、内容液を被塗布部に塗布することができる。
以上のようにして、本発明に係る計量塗布具では、内容液を被塗布部に塗布するに際し、予め内容液を計量することが可能になるので、被塗布部に塗布する内容液の量を安定させることができ、操作性を向上させることができる。
また、上記計量塗布具においては、前記計量筒部材は、内部が前記計量空間とされるとともに、前記供給孔が形成された本体筒部材と、内部が前記計量空間とされるとともに、前記本体筒部材と前記ステムとを接続する接続筒部材と、を備えていてもよい。
【０００８】
また、上記計量塗布具においては、前記計量筒部材には、前記計量空間内に所望の量の内容液が貯留されているときの内容液の水位を示す印部が設けられていてもよい。
【０００９】
この場合、計量筒部材に印部が設けられているので、内容液を精度良く計量することができる。
【００１０】
また、上記計量塗布具においては、前記計量筒部材には、前記印部より上方に位置する部分に開口し、前記計量空間を外部に連通させる空気置換路が設けられていてもよい。
【００１１】
この場合、計量筒部材に空気置換路が設けられているので、計量空間内で計量された内容液を、供給孔を通して塗布部材に順次供給する際に、内容液を滞りなく塗布部材から供給することができる。
しかも、空気置換路が計量空間内において印部より上方に位置する部分に開口しているので、容器体内の内容液を計量空間内に流入させるときに、内容液が空気置換路内に進入するのを防ぐことができる。
【００１２】
また、上記計量塗布具においては、前記計量筒部材は、内部が前記計量空間とされるとともに、前記供給孔及び前記印部が形成された本体筒部材と、内部が前記計量空間とされるとともに、前記本体筒部材と前記ステムとを接続する接続筒部材と、を備え、前記接続筒部材は、前記ステムに装着された基筒部と、前記本体筒部が装着され、かつ内部が前記基筒部と連通した連結筒部と、前記連結筒部内に配設されて、その上端開口が前記本体筒部材内に至り、該上端開口が前記印部より上方に位置し、かつその下端開口が前記連結筒部及び前記基筒部の双方の外部に開口する連通筒部と、を備え、前記連通筒部の内部が、前記空気置換路となっていてもよい。
【００１３】
この場合、空気置換路のうち、計量空間の外部に開口する下端開口が、計量筒部材のなかでも比較的目立たない位置に配置されることで、外観を良好なものにできる。
【発明の効果】
【００１４】
本発明によれば、被塗布部に塗布する内容液の量を安定させることができ、操作性を向上させることができる。
【図面の簡単な説明】
【００１５】
【図１】本発明の第１の実施形態に係る計量塗布具が装着された容器の縦断面図である。
【図２】第１の実施形態に係る計量塗布具の計量筒部材の側面図である。
【図３】本発明の第２の実施形態に係る計量塗布具が装着された容器の縦断面図である。
【発明を実施するための形態】
【００１６】
以下、図面を参照し、本発明の実施形態について説明する。
＜第１の実施形態＞
図１には、内容液が収容された容器体１に、本発明の第１の実施形態に係る計量塗布具２が装着されてなる塗布容器Ａの縦断面が示されている。容器体１に形成された口部３には内容液を吐出するためのポンプ４が装着されている。ポンプ４は計量塗布具２を構成する一部材である。
図中Ｏは、容器体１における横断面の中央を通る軸線（以下、容器軸線Ｏ）を示している。以下では、容器軸線Ｏに沿って口部３側を上側、その逆側を下側とし、容器軸線Ｏに沿う方向を上下方向という。また、容器軸線Ｏに直交する方向を径方向、容器軸線Ｏ回りを周回する方向を周方向という。なお、図１では、説明便宜上、容器体１の一部を断面で示していない。
【００１７】
容器体１は、合成樹脂材料等から有底筒状に形成され、上端部に上方に突出して開口する口部３が形成されている。ポンプ４は、シリンダ５と、このシリンダ５内に収容され、上方付勢状態で下方移動可能に立設されたステム６と、を備えている。ポンプ４は、ステム６が容器軸線Ｏと同軸に延びるように口部３に装着されている。
シリンダ５の上端開口縁には、径方向の外側に突出したフランジ部７が形成され、シリンダ５は、フランジ部７の下面を環状のシール部材８を介して口部３の上端開口縁に当接させた状態で、上方から被せるように配置される装着キャップ９によって口部３に固定されている。装着キャップ９は、合成樹脂材料等からなり、中央に開口部が形成された環状の天板部１０と、天板部１０の外周縁から下方に延びる装着筒部１１と、天板部１０の内周縁から上方に突出する突出筒部１２と、を一体に有している。
【００１８】
装着キャップ９は、天板部１０の下面にフランジ部７の上面を当接させ、装着筒部１１の内周面に形成されて径方向の内側に突出する凸部を、口部３の外周面に形成されて径方向の外側に突出する凸部に、アンダーカット嵌合させることで、ポンプ４を固定している。この状態で、ステム６は、口部３から上方に突出して突出筒部１２の内側を通過して、突出筒部１２の上端開口縁から上方に突出している。
なお、図中符号１３は、シリンダ５の上端開口縁の内側に配置されて、ステム６の上方への抜けを防止する抜け規制部材を示している。
【００１９】
ステム６は、容器体１内に連通可能な筒状体であり、ポンプ４では、このステム６の下方移動に伴い、ステム６の上端開口１４から容器体１内の内容液を吐出することが可能となっている。
【００２０】
本実施形態の計量塗布具２は、ポンプ４と、計量筒部材１５と、塗布部材２８と、を備えている。ステム６の上端部に、内部にステム６の上端開口１４内に連通する計量空間Ｓが画成された上記計量筒部材１５が装着されている。本実施形態における計量筒部材１５は、内部が上記計量空間Ｓの一部とされる透明若しくは半透明の材料で形成された本体筒部材１６と、内部の一部が上記計量空間Ｓの一部とされるとともに、本体筒部材１６の下側に配置されて、本体筒部材１６とステム６とを接続する接続筒部材１７と、を備えている。すなわち、本実施形態では、計量筒部材１５のうちの本体筒部材１６が透明若しくは半透明の材料で形成されている。
【００２１】
本実施形態の接続筒部材１７は、有頂筒状に形成され、ステム６の上端部を上方から覆う天壁部１８と、天壁部１８の外周縁から下方に延び、その下端部で装着キャップ９の装着筒部１１を径方向の外側から覆う外周壁部１９と、を有している。ここで、外周壁部１９の下端部と装着筒部１１との間には、径方向の隙間が形成されている。
【００２２】
天壁部１８の中央部の下面に、ステム６の上端部に外嵌される基筒部２０が形成されている。また、天壁部１８の上面における外周部に、上方に向けて連結筒部２１が立設されている。この連結筒部２１の軸線Ｌ１は、容器軸線Ｏから径方向に離間している。連結筒部２１の内部は基筒部２０の内部と連通しており、この連結筒部２１に、上記本体筒部材１６の下端部が外嵌されている。そして、本体筒部材１６は、連結筒部２１内に連通するとともに、連結筒部２１から上方に延びている。
【００２３】
基筒部２０は、ステム６の上端と天壁部１８の下面との間に上下方向の隙間を設けた状態で、ステム６の上端部に装着されており、この基筒部２０の上端部に、連結筒部２１側に向けて開口する連通開口２３が形成されている。一方で、連結筒部２１の内部には、連結筒部２１の内周面と、基筒部２０における連通開口２３の周縁部とを連結し、基筒部２０の内部と連結筒部２１の内部とを連通し、かつ、これらの両内部と外周壁部１９の内部との連通を遮断する遮断壁部２４が配設されている。
遮断壁部２４は、連結筒部２１の内周面に連結された上壁２５Ａと、基筒部２０に連結された下壁２５Ｂと、上壁２５Ａと下壁２５Ｂとを連結する連結壁２５Ｃと、を備えている。これにより、連結筒部２１と基筒部２０とが連通し、ステム６の上端開口１４から本体筒部材１６の計量空間Ｓに内容液が供給されるようになっている。
【００２４】
連結筒部２１は、その直径が、天壁部１８の直径の１／２よりわずかに小さく設定され、かつ連結筒部２１全体が、容器軸線Ｏに対して径方向の外側に位置するように形成されている。これにより、接続筒部材１７の天壁部１８における、連結筒部２１及びこの連結筒部２１から上方に延びる本体筒部材１６の容器軸線Ｏを挟んで反対側の部位が、指等によってステム６を下方に押下するための押下面２２とされている。
【００２５】
本体筒部材１６は、上下方向に延設された有頂筒状体であり、その下端部内に、連結筒部２１の外周面が装着されている。本体筒部材１６は、その外周面に上下方向に並んだ複数の供給孔２７が、本体筒部材１６の径方向の外側に向けて開口するように形成されている。
そして、本体筒部材１６には、これら供給孔２７を通して計量空間Ｓ内に連通する塗布部材２８が装着されている。塗布部材２８は、供給孔２７に各別に挿入される複数の櫛部２９を、本体筒部材１６の外周面に沿って上下方向に延びる基部３０に一体に形成して構成されている。塗布部材２８は、櫛部２９の基端部が、供給孔２７に挿入されることで、本体筒部材１６に保持され、櫛部２９は中空体であり、その先端部には、櫛部２９の径方向に貫通する吐出孔３１が形成されている。
【００２６】
本実施形態において計量空間Ｓは、接続筒部材１７における基筒部２０の下端部から本体筒部材１６の上端部までに至る内部空間であり、この計量空間Ｓは、典型的に容器体１の正立状態でステム６を下方移動させて内容液を貯留させる空間として使用される。そして、本実施形態では、計量筒部材１５のうちの外部に露出する本体筒部材１６が透明若しくは半透明の材料で形成されており、この本体筒部材１６を通して、その内部の計量空間Ｓが外側から視認可能となっている。
ここで、図１及び図２に示されるように、本体筒部材１６には、計量空間Ｓ内に所望の量の内容液が貯留されているときの内容液の水位を示す印部３２が設けられている。本実施形態において印部３２は、本体筒部材１６のうち、供給孔２７のうちの上下方向で最も下側に位置するものの直下と対応する位置に設けられ、軸線Ｌ１周りに延びる破線を呈している。なお、印部３２は、例えば本体筒部材１６に印字してもよいし、成型時に刻設等してもよい。
【００２７】
以上のような本実施形態の計量塗布具２では、計量筒部材１５及び塗布部材２８をステム６とともに下方移動させることで、容器体１の内溶液をステム６内を通して計量空間Ｓに流入させることができる。
この際、計量筒部材１５のうち、本体筒部材１６が、透明若しくは半透明の材質で形成され、この透明若しくは半透明の本体筒部材１６を通して、計量塗布具２の外側から計量空間Ｓ内で計量された内容液の液面を視認可能であるので、計量空間Ｓ内の内容液を外側から視認することが可能になり、この計量空間Ｓ内の内容液の液面を見ながら、計量空間Ｓ内の内容液の貯留量を確認することができる。
そして、この貯留量が所望の量に達するまで、前述のようにして、容器体１の内容液を計量空間Ｓ内に流入させることで、計量空間Ｓ内で計量された内容液を、供給孔２７を通して塗布部材２８に順次供給し、この塗布部材２８を被塗布部に当接させることで、内容液を被塗布部に塗布することができる。なお、この際は、容器体１を傾けて、櫛部２９の先端を被塗布部に上方から当接させ、櫛部２９の先端の吐出孔３１から内容液が流れ出るように用いる。また、塗布中において、計量空間Ｓ内を視認することで、内容液の残量も確認することができる。
以上のようにして、この計量塗布具２では、内容液を被塗布部に塗布するに際し、予め内容液を計量することが可能になるので、被塗布部に塗布する内容液の量を安定させることができ、操作性を向上させることができる。
【００２８】
また、計量筒部材１５に印部３２が設けられているので、内容液を精度良く計量することができる。
【００２９】
＜第２の実施形態＞
次に、本発明の第２の実施形態について図３を用いて説明する。なお、第１の実施形態と同様の構成要素については同一符号で示し、説明を省略する。
【００３０】
図３に示されるように、この実施形態では、連結筒部２１内に配設されて、その上端開口３３Ａが本体筒部材１６内に至り、この上端開口３３Ａが印部３２より上方に位置して計量空間Ｓに開口し、かつ下端開口３３Ｂが連結筒部２１及び基筒部２０の双方の外部に開口して、計量空間Ｓを外部に連通させる連通筒部３３が、接続筒部材１７に設けられている。
【００３１】
連通筒部３３は、その下端部が、遮断壁部２４と一体化されている。また、連通筒部３３は軸線Ｌ１に沿って延び、その下端開口３３Ｂは、遮断壁部２４の下壁２５Ｂから下方に開口している。そして、この連通筒部３３は、その内部を空気置換路と機能させ、計量空間Ｓ内から櫛部２９内に供給される際に、計量空間Ｓ内に外部から空気を導入させる。
【００３２】
このような第２の実施形態の構成では、計量筒部材１５に連通筒部３３が設けられているので、計量空間Ｓ内で計量された内容液を、供給孔２７を通して塗布部材２８に順次供給する際に、連通筒部３３を通して計量空間Ｓ内に空気が導入されることとなり、内容液を滞りなく塗布部材２８から供給することができる。
しかも、連通筒部３３が計量空間Ｓ内において印部３２より上方に位置する部分に開口しているので、容器体１内の内容液を計量空間Ｓ内に流入させるときに、内容液が空気置換路内に進入するのを防ぐことができる。
【００３３】
また、連通筒部３３のうち、計量空間Ｓの外部に開口する下端開口３３Ｂが、計量筒部材１５のなかでも比較的目立たない位置に配置されることで、外観を良好なものにできる。
【００３４】
以上、本発明に係る計量塗布具の実施形態について説明したが、本発明は上記した実施の形態に限定されるものではなく、その趣旨を逸脱しない範囲で適宜変更可能である。
【００３５】
例えば、上記各実施形態では、計量筒部材１５のうちの本体筒部材１６の全体を、透明若しくは半透明の材料で形成したが、例えば本体筒部材１６のうちの一部を透明若しくは半透明の材料で形成してもよく、具体的には例えば、上記実施形態において本体筒部材１６の下端部から供給孔２７のうちの上下方向で最も下側に位置するものの直下の位置までの部分だけを、透明若しくは半透明の材料で形成してもよい。また、上記実施形態のように、計量筒部材１５が、本体筒部材１６と接続筒部材１７の２部材でなる場合に、計量塗布具２の外側から計量空間Ｓ内で計量された内容液の液面を視認可能であれば、接続筒部材１７のみ又は接続筒部材１７の一部のみを透明若しくは半透明の材料で形成してもよい。
【００３６】
また、上記第２の実施形態では、空気置換路を構成する連通筒部３３を連結筒部２１内に配設したが、例えば、本体筒部材１６内において印部３２よりも上方に位置する部位に開口部を設けて、この開口部を空気置換路としてもよい。
【００３７】
また、上記各実施形態では、接続筒部材１７の天壁部１８の中央部下面に、容器軸線Ｏに沿って下方に延びる基筒部２０が形成され、容器軸線Ｏ（ステム６）から離間した位置にこの容器軸線Ｏ（ステム６）に沿って延びる軸線Ｌ１を設定して上方に突出する連結筒部２１が、天壁部１８の上面に形成される例を説明したが、基筒部２０と連結筒部２１とを同軸で形成してもよい。
【００３８】
また、上記各実施形態では、計量筒部材１５が、本体筒部材１６と接続筒部材１７との２部材で構成される例を説明したが、これらは一体で形成されていてもよい。また、計量筒部材１５が一体である場合には、全体を透明若しくは半透明の材料で形成してもよいし、計量塗布具の外側から計量空間内で計量された内容液の液面を視認可能であれば、一部を透明若しくは半透明の材料で形成してもよい。
また、上記各実施形態では、塗布部材２８として櫛部２９を有するものを説明したが、本発明でいう塗布部材は、内容液を計量筒部材側から浸透させて被塗布部に塗布させるガーゼを有するものや、計量筒部材に連通するとともに回転可能に支持され、回転に伴って計量筒部材側から外側に内容液を供給するローラを有するもの等であってもよい。
【符号の説明】
【００３９】
１  容器体
２  計量塗布具
３  口部
４  ポンプ
６  ステム
１５  計量筒部材
１６  本体筒部材
１７  接続筒部材
２０  基筒部
２１  連結筒部
２７  供給孔
２８  塗布部材
３３  連通筒部
【図１】
2014046948.tif 000003
【図２】
2014046948.tif 000004
【図３】
2014046948.tif 000005